(57)【要約】      （修正有）【課題】ディスク装置において、ディスク交換や電源切断後の処理再開時に、ディスク関連情報を短時間に取得し起動時間を短縮できる技術の提供。【解決手段】ディスクに記録された管理情報の有効性を判別し該判別結果を、電源切断状態時も記憶可能な記憶手段に記憶し、電源投入時、該記憶した判別結果情報が挿入ディスクに対し有効であるとされるときは、記録または再生動作に先立って、ディスクの複数の記録領域のうちの一部から管理情報を読み取るようにする。【選択図】図１
2010044857.tif 000002
【特許請求の範囲】
【請求項１】
一内容の管理情報が複数の領域に分けて多重記録されたディスクに対し、信号の記録、再生のいずれか一方または両方を行うディスク装置であって、
上記信号の記録または再生にあたっての上記管理情報の有効性を判別する判別手段と、
該判別の結果を、電源切断状態のときにも記憶可能な記憶手段と、
該判別結果情報に基づきディスクからの上記管理情報の読み取りモードを選択する制御手段と、
を備え、上記記憶した判別結果情報が挿入ディスクに対し有効であるときは、記録または再生動作に先立ち、ディスクの複数の記録領域の一部から管理情報を読み取るようにしたことを特徴とするディスク装置。
【請求項２】
同一内容の管理情報が複数の領域に分けて多重記録されたディスクに対し、信号の記録、再生のいずれか一方または両方を行うディスク装置であって、
上記ディスクの装着の有無を検出する検出手段と、
上記記録または再生にあたっての上記管理情報の有効性を判別する判別手段と、
該判別の結果を、電源切断状態のときにも記憶可能な記憶手段と、
該判別結果情報に基づきディスクからの上記管理情報の読み取りモードを選択する制御手段と、
を備え、電源投入時に、上記ディスクの装着が検出され、かつ、上記記憶した判別結果情報が挿入ディスクに対し有効であるときは、記録または再生動作に先立ち、該ディスクの複数の記録領域の一部から管理情報を読み取るようにしたことを特徴とするディスク装置。
【請求項３】
同一内容の管理情報が複数の領域に分けて多重記録されたディスクに対し、信号の記録、再生のいずれか一方または両方を行うディスク装置であって、
上記ディスクの挿抜を検出する挿抜検出手段と、
該挿抜検出の結果を、電源切断状態のときにも記憶可能な記憶手段と、
該記憶した挿抜検出結果情報に基づき上記管理情報の読み取りモードを選択する制御手段と、
を備え、上記ディスクの挿抜が検出されないときには、記録または再生動作に先立ち、該ディスクの複数の記録領域のうちの一部から管理情報を読み取るようにしたことを特徴とするディスク装置。
【請求項４】
同一内容の管理情報が複数の領域に分けて多重記録されたディスクに対し、信号の記録、再生のいずれか一方または両方を行うディスク装置であって、
上記ディスクの装着の有無を検出する検出手段と、
上記記録または再生にあたっての上記管理情報の有効性を判別する判別手段と、
上記ディスクの挿抜を検出する挿抜検出手段と、
電源切断状態のときにも、該挿抜検出の結果及び上記判別の結果を記憶可能な記憶手段と、
上記記憶した挿抜検出結果及び上記判別結果に基づき上記管理情報の読み取りモードを選択する制御手段と、
を備え、電源投入時に、上記ディスクの装着が検出され、かつ、上記記憶した判別結果情報が挿入ディスクに対し有効であり上記ディスクの挿抜が検出されないときは、記録または再生動作に先立ち、該ディスクの複数の記録領域の一部から管理情報を読み取るようにしたことを特徴とするディスク装置。
【請求項５】
上記検出手段、上記判別手段及び上記制御手段は第１の電源で作動し、上記挿抜検出手段及び上記記憶手段は第２の電源で作動し、上記第１の電源が投入されたとき、上記管理情報の読み取りモードについての選択が行われる請求項４に記載のディスク装置。
【請求項６】
同一内容の管理情報が複数の領域に分けて多重記録されたディスクに対し、信号の記録、再生のいずれか一方または両方を行うディスク装置であって、
上記ディスクの装着の有無を検出する検出手段と、
上記記録または再生にあたっての上記管理情報の有効性を、ディスクの複数の記録領域に記録された管理情報につき判別する判別手段と、
該判別の結果を、電源切断状態のときにも記憶可能な記憶手段と、
該記憶した判別結果情報に基づきディスクからの上記管理情報の読み取りモードを選択する制御手段と、
を有し、電源投入時に、上記ディスクの装着が検出され、かつ、上記記憶した判別結果情報が挿入ディスクに対しても有効であるときは、該有効とされた一部の領域の管理情報を読み取り、記録または再生動作を開始するようにした構成を特徴とするディスク装置。
【請求項７】
同一内容の管理情報が複数の領域に分けて多重記録されたディスクに対し、信号の記録、再生のいずれか一方または両方を行うディスク装置であって、
第１の電源で作動し上記ディスクの装着の有無を検出する検出手段と、
第１の電源で作動し上記記録または再生にあたっての上記管理情報の有効性を判別する判別手段と、
第２の電源で作動し該判別の結果を記憶する記憶手段と、
第１の電源で作動し上記記憶した判別結果情報に基づき上記管理情報の読み取りモードを選択する制御手段と、
を備え、上記第１の電源が投入されたとき、上記ディスクの装着が検出され、かつ、上記記憶した判別結果情報が挿入ディスクに対し有効であるとされたときは、ディスクの第１の領域と第２の領域のいずれか一方から有効な管理情報を読み取り、有効ではないとされたときは、該第１の領域と該第２の領域の両方から管理情報を読み取るように制御する構成を特徴とするディスク装置。
【請求項８】
同一内容の管理情報が複数の領域に分けて多重記録されたディスクに対し、信号の記録、再生のいずれか一方または両方を行うディスク装置であって、
上記ディスクの装着の有無を検出する検出手段と、
上記ディスクの挿抜を検出する挿抜検出手段と、
該挿抜検出の結果を、電源切断状態のときにも記憶可能な記憶手段と、
該記憶した挿抜検出結果情報に基づき上記管理情報の読み取りモードを選択する制御手段と、
を備え、電源投入時に、上記ディスクの装着が検出され、かつ、上記ディスクの挿抜が検出されないときは、該ディスクの複数の記録領域の一部から有効な管理情報を読み取るようにした構成を特徴とするディスク装置。
【請求項９】
管理情報が記録された上記複数の領域は、上記ディスクの内周部と外周部とに分けて設けられた領域から成る請求項１から８のいずれかに記載のディスク装置。
【請求項１０】
管理情報が記録された上記複数の領域は、４つの領域であり、このうちの１つの領域から管理情報を読み取るように制御される請求項１から８のいずれかに記載のディスク装置。
【請求項１１】
上記管理情報は、上記ディスク自体の状態を管理するための第１の管理情報と、該ディスクに再生のために記録されたデータ情報を管理するための第２の管理情報とから成り、該第１、第２の管理情報はそれぞれ、上記ディスクの内周部の領域と外周部の領域とに分けて記録され、このうちいずれかの領域から該第１、第２の管理情報を読み取るように制御される請求項１から８のいずれかに記載のディスク装置。
【請求項１２】
同一内容の管理情報がディスクの複数の領域に分けて多重記録され、該ディスクに対し信号の記録、再生のいずれか一方または両方を行うディスク装置であって、
上記管理情報を上記ディスクの第１、第２の領域に記録する記録手段と、
該記録された管理情報の有効性を判別する判別手段と、
該判別の結果を、電源切断状態のときにも記憶可能な記憶手段と、
該記憶した判別結果情報に基づきディスクからの上記管理情報の読み取りモードを選択する制御手段と、
を有し、上記記憶した判別結果情報が挿入ディスクに対しても有効であるときは、上記信号の記録または再生動作に先立ち、上記第１、第２の領域のいずれか一方から管理情報を読み取り、上記管理情報が有効ではないと判別されるときには、該第１、第２の領域の両方から管理情報を読み取るようにした構成を特徴とするディスク装置。
【請求項１３】
上記記録または再生される信号は、カメラ撮像装置からの情報信号である請求項１から８のいずれかに記載のディスク装置。
【請求項１４】
受信情報の処理を行う情報処理端末装置であって、
情報伝送用のインターフェースと、情報の処理を行う情報処理手段と、同一内容の管理情報が複数の領域に分けて多重記録されたディスクに対し該処理した情報の記録、再生のいずれか一方または両方を行うディスク装置と、表示手段とを備えて成り、うち上記ディスク装置が、上記信号の記録または再生にあたっての上記管理情報の有効性を判別する判別手段と、該判別の結果を電源切断状態のときにも記憶可能な記憶手段と、該記憶した判別結果情報が挿入ディスクに対しても有効であるときは、上記記録または再生動作に先立ち、ディスクの複数の記録領域の一部から管理情報を読み取るように制御する制御手段と、を有して成る構成であることを特徴とする情報処理端末装置。
【請求項１５】
受信情報の処理を行う情報処理端末装置であって、
情報伝送用のインターフェースと、情報の処理を行う情報処理手段と、同一内容の管理情報が複数の領域に分けて多重記録されたディスクに対し該処理した情報の記録、再生のいずれか一方または両方を行うディスク装置と、表示手段とを備えて成り、うち上記ディスク装置が、上記ディスクの挿抜を検出する挿抜検出手段と、該挿抜検出の結果を、電源がオフ状態のときにも記憶可能な記憶手段と、該挿抜検出の結果、上記ディスクの挿抜が検出されないときは、ディスクの複数の記録領域の一部から有効な管理情報を読み取るように制御する制御手段とを有して成る構成であることを特徴とする情報処理端末装置。
【請求項１６】
同一内容の管理情報が複数の領域に分けて多重記録されたディスクに対し、信号の記録、再生のいずれか一方または両方を行うディスク装置における管理情報読み取り制御方法であって、
上記信号の記録または再生動作に先立ち、上記管理情報を読み取るステップと、
該読み取った管理情報の有効性を判別するステップと、
該判別の結果を、電源切断状態でも記憶可能な記憶手段に記憶するステップと、
該記憶した判別結果情報が挿入ディスクに対しても有効か否かを判別するステップと、
該判別の結果、該記憶した判別結果情報が挿入ディスクに対しても有効であるとされるときは、該ディスクの複数の記録領域の一部から管理情報を読み取るようにするステップと、
を経て、上記管理情報の読み取り制御を行うことを特徴とする管理情報読み取り制御方法。
【請求項１７】
同一内容の管理情報が複数の領域に分けて多重記録されたディスクに対し、信号の記録、再生のいずれか一方または両方を行うディスク装置における管理情報読み取り制御方法であって、
上記ディスクの挿抜を検出するステップと、
該検出結果を、電源切断状態でも記憶可能な記憶手段に記憶するステップと、
該記憶した挿抜検出結果情報が、上記ディスクの挿抜が検出されない内容のときは、該ディスクの複数の記録領域の一部から有効な管理情報を読み取るようにするステップと、
を経て、上記管理情報の読み取り制御を行うことを特徴とする管理情報読み取り制御方法。
【発明の詳細な説明】
【技術分野】
【０００１】
本発明は、ディスク装置におけるディスクの管理情報の読み取り技術に関する。
【背景技術】
【０００２】
ＣＤ・ＲＯＭ等の再生専用ディスクやオーディオビジュアル情報の記録を主要な使用目的とした光ディスク等の記録媒体では、該記録媒体に予め欠陥管理用の領域を準備しておらず、システム側で必要に応じて媒体中の欠陥に対する処理方法を決めている。これに対し、欠陥に対する処理方法を標準化して、一定以上のデータ信頼性を確保することに重点をおいたＤＶＤ−ＲＡＭなどの光ディスクや、磁気ディスク等の書き換え型ディスクでは、製造時にセクタ等の所定の単位で欠陥をチェックし、検出された欠陥を含むセクタ等のアドレスを該ディスクの所定の領域に記録した状態で市場に提供される。これら欠陥の管理情報の記録方法は該ディスクに関する規格で決められている。例えばＩＳＯ／ＩＥＣ１００８９，１３５４９規格等の書き換え型ディスクでは、欠陥セクタとその交替セクタの情報から成る欠陥管理情報を、ディスク内のユーザエリアの内側と外側の端に各２つ保有しており、内外周の領域で同じ管理情報を合計４個有している。この領域は、ＤＭＡ（Ｄｅｆｅｃｔ  Ｍａｎａｇｅｍｅｎｔ  Ａｒｅａ）と呼ばれる。以下の説明では、上記欠陥管理情報を第１の管理情報という。また、上記ＩＳＯ／ＩＥＣ１００８９，１３５４９規格等の書き換え型ディスクでは、記録されている情報に関するファイルフォーマット情報などを含むファイル管理情報ＵＤＦ（Ｕｎｉｖｅｒｓａｌ  Ｄｉｓｃ  Ｆｏｒｍａｔ）をディスク内のユーザエリアの内周と外周の端に２つ保有している。以下の説明では上記ファイル管理情報を第２の管理情報という。上記ディスクに対し、情報を記録または再生する従来の光ディスク装置では、装置電源投入時及びディスク挿入時に、ディスクの内周側の端と外周側の端の２つの領域に記録された上記第１の管理情報を全て読み込んだ後、内周側の端と外周側の端の２つの領域に記録された第２の管理情報を全て読み込むようにしている。このように互いに離れた複数の領域に、同じ内容の情報を記録する理由は、記録自体の信頼性を高め、かつ記録後に発生することがある障害（指紋、ほこり、傷）に対して該管理情報の再生可能性を高めるためである。
【０００３】
上記のようにディスク内周側とディスク外周側とに媒体管理情報領域を設けた書き換え型ディスクにおいて、上記方法で全ての第１の管理情報と第２の管理情報とを読み込むと、ディスクの内周側から外周側までの光ヘッドの往復移動を少なくとも１回は行わなければならないため、情報の記録または再生動作の開始までに長い時間がかかってしまうことになる。特に、ヘッドの移動速度が磁気ディスクと比較して遅い光ディスク装置では顕著である。これに関連する技術としては、例えば、特開平１１−２５５７５号公報や特開平１０−２６９７０９号公報に記載されたものがある。特開平１１−２５５７５号公報には、電源投入後または媒体挿入後、書替え可能媒体であると判別すると、内周のＤＭＡの情報を読み出し、次に内周のＤｒｉｖｅ  Ｔｅｓｔ  Ｚｏｎｅでテストパターンを記録再生して記録パワーの調整を行い、さらに、外周のＤｒｉｖｅ  Ｔｅｓｔ  Ｚｏｎｅにピックアップを移動して同様に記録パワーの調整を行い、外周のＤＭＡの情報を読み出して起動処理を行う技術が記載されている。また、特開平１０−２６９７０９号公報には、交換できない磁気ディスクを用いた磁気ディスク装置において、データへのアクセス時間を短縮し、かつバックアップ用電池の消耗をなくすために、欠陥箇所の交替割り当て先及び、欠陥箇所と交替先の対応情報を書き替え可能な不揮発メモリに格納し、上位装置より、欠陥箇所を含む範囲の読み込みまたは書き込みの指示があったとき、該不揮発メモリから上記セクタのデータや管理情報を読み出しや書き込みを行う技術が記載されている。
【０００４】
一方、携帯型ビデオカメラ等においては、突発事象を急遽記録したい場合などが多く、起動時間の短縮化の要求は極めて高い。そのため、管理情報等の処理時間をより一層短縮して起動を早めることが要求される。この要求に応えるため、従来のディスク装置では、光ディスクが挿入された時に光ディスクの第１の管理情報（媒体管理情報）を読み取り、これをＤ・ＲＡＭなどに格納し、該光ディスクの排出前において装置電源が入っている間は、該第１の管理情報を該Ｄ・ＲＡＭなどに保持するようにしている。これによって、記録再生の要求が長時間にわたりなされないときに、節電モードでディスクの回転を停止したりしても、記録再生を再開した際に、保持している第１の管理情報を用いて記録あるいは再生を行うことができるようにし、再びディスク上の第１の管理情報を読み取りに行く必要がないようにしている。ただし、装置電源を切断したときには、上記Ｄ・ＲＡＭなどに格納している管理情報は失われる構成である。
【先行技術文献】
【特許文献】
【０００５】
【特許文献１】特開平１１−２５５７５号公報
【特許文献２】特開平１０−２６９７０９号公報
【発明の概要】
【発明が解決しようとする課題】
【０００６】
上記のように、第１の管理情報（媒体管理情報）をＤ・ＲＡＭなどに格納する技術では、装置電源が入った状態でしか該第１の管理情報を保持することができず、装置電源が切れた時には、以前に保持した該第１の管理情報は失われることになる。従って、装置電源を切断し、再び電源を入れて記録または再生動作を行う場合には、ディスクの挿抜がされない場合であっても、あらためて最初から時間をかけて所定の管理情報の読み取り動作を行う必要がある。また、特開平１０−２６９７０９号公報に開示された技術は、ディスクの挿抜は考慮されておらず、ディスクの交換を行うディスク装置に適用することはできない。また、該公報記載技術は、書き換え回数の上限値が低い不揮発メモリを用いて書き換えを行うため、メモリ寿命が短くなるおそれがある。また、不揮発性メモリに替え、電池駆動可能なＣＭＯＳメモリなどを用いて、ディスク内の欠陥を含むセクタの交替情報とそこに格納するデータを記憶しようとした場合には、約１０ＭＢ以上の容量が必要と考えられ、このためには大きな駆動用バッテリーが必要となって小型化、低価格化が困難となる。また、該公報記載技術においても、上記のようにディスク交換や休止後に処理を再開したときにも、管理情報の取得処理時間を短縮し起動時間を短縮することが課題として残る。
【０００７】
従来技術において、例えば、装置電源の投入時に既に、ディスクが装置に挿入されている場合であって、該ディスクに関する管理情報等の情報がない場合は、管理情報については所定の全行程の読み取り処理を行い、記録または再生を行うに必要な管理情報を該ディスクから取り出さなければならない。しかし、該ディスクに関する管理情報等の情報が既にディスク装置側で取得済みであり、該取得した情報に信頼性があれば、該取得済みの該情報を使うことができる。該取得済みの情報の信頼性がない場合は、該ディスクの管理情報等の情報をあらためて少なくとも１回は読み取って確認する必要がある。つまり、信頼性の根拠となるディスク関連情報をディスク装置は獲得する必要がある。ディスク関連の必要情報としては、（１）挿入済みのディスクは特定されているか。（２）特定済みのディスクに関する必要な管理情報等は装置側で取得済みか。（３）取得済みの管理情報等の信頼性は高いか、の３点が考えられる。装置電源が投入されたままの状態では、制御系等のメモリが動作状態であるため、上記（１）から（３）の情報はすべて保持され、問題はない。しかし、装置電源が一旦切断され、再投入された場合は、装置電源が切断されたときに挿入されていたディスクと同じディスクか否か、挿入されていたディスクに関する情報は保持されているか否か、保持している場合その情報は信頼できるかどうかなどを電源再投入時に短時間に確認することが必要となる。  本発明の課題点は、上記従来の状況に鑑み、ディスク装置において、ディスク交換や電源切断後に処理を再開したときにも、挿入されているディスクに関する信頼性ある情報を短時間に取得して起動時間を短縮し、電源投入後、迅速に記録または再生動作を開始できるようにすることである。  本発明の目的は、かかる課題点を解決できる技術の提供にある。
【課題を解決するための手段】
【０００８】
上記課題点を解決するために、本発明では、基本的に、ディスク装置において、ディスクに記録された管理情報の有効性を判別して該判別結果を、電源切断状態時も記憶可能な記憶手段に記憶し、電源投入時、該記憶した判別結果情報が挿入ディスクに対し有効であるとされるときは、記録または再生動作に先立って、ディスクの複数の記録領域のうちの一部から管理情報を読み取るようにする。また、ディスク装置において、ディスクの挿抜を検出または監視し、該挿抜検出の結果を、電源切断状態時も記憶可能な記憶手段に記憶し、電源投入時、該記憶してある挿抜検出結果情報からディスクの挿抜が検出されたときは、ディスクの複数の記録領域のうちの一部から有効な管理情報を読み取るようにする。また、ディスク装置において、ディスクの管理情報の有効性を、一部の記録領域の管理情報につき判別し、該判別の結果を、電源切断状態時も記憶可能な記憶手段に記憶し、電源投入時、該記憶した判別結果情報が挿入ディスクに対しても有効であるとされるきは、該有効とされた一部の領域の管理情報を読み取って、記録または再生動作を開始するようにする。具体的には、ディスク装置において、（１）信号の記録または再生にあたってのディスクの管理情報の有効性を判別する判別手段と、該判別の結果を、電源切断状態のときにも記憶可能な記憶手段と、該判別結果情報に基づきディスクからの上記管理情報の読み取りモードを選択する制御手段と、を備え、上記記憶した判別結果情報が挿入ディスクに対し有効であるときは、記録または再生動作に先立ち、ディスクの複数の記録領域の一部から管理情報を読み取るようにした構成とする。（２）ディスクの装着の有無を検出する検出手段と、記録または再生にあたっての管理情報の有効性を判別する判別手段と、該判別の結果を、電源切断状態のときにも記憶可能な記憶手段と、該判別結果情報に基づきディスクからの上記管理情報の読み取りモードを選択する制御手段と、を備え、電源投入時に、上記ディスクの装着が検出され、かつ、上記記憶した判別結果情報が挿入ディスクに対し有効であるときは、記録または再生動作に先立ち、該ディスクの複数の記録領域の一部から管理情報を読み取るようにした構成とする。（３）ディスクの挿抜を検出する挿抜検出手段と、該挿抜検出の結果を、電源切断状態のときにも記憶可能な記憶手段と、該記憶した挿抜検出結果情報に基づきディスクの管理情報の読み取りモードを選択する制御手段と、を備え、上記ディスクの挿抜が検出されないときには、記録または再生動作に先立ち、該ディスクの複数の記録領域のうちの一部から管理情報を読み取るようにした構成とする。（４）ディスクの装着の有無を検出する検出手段と、記録または再生にあたってのディスクの管理情報の有効性を判別する判別手段と、上記ディスクの挿抜を検出する挿抜検出手段と、電源切断状態のときにも、該挿抜検出の結果及び上記判別の結果を記憶可能な記憶手段と、上記記憶した挿抜検出結果及び上記判別結果に基づき上記管理情報の読み取りモードを選択する制御手段と、を備え、電源投入時に、上記ディスクの装着が検出され、かつ、上記記憶した判別結果情報が挿入ディスクに対し有効であり上記ディスクの挿抜が検出されないときは、記録または再生動作に先立ち、該ディスクの複数の記録領域の一部から管理情報を読み取るようにした構成とする。（５）上記（４）において、上記検出手段、上記判別手段及び上記制御手段は第１の電源で作動し、上記挿抜検出手段及び上記記憶手段は第２の電源で作動し、上記第１の電源が投入されたとき、上記管理情報の読み取りモードについての選択が行われるようにする。（６）ディスクの装着の有無を検出する検出手段と、記録または再生にあたってのディスクの管理情報の有効性を、ディスクの複数の記録領域に記録された管理情報につき判別する判別手段と、該判別の結果を、電源切断状態のときにも記憶可能な記憶手段と、該記憶した判別結果情報に基づきディスクからの上記管理情報の読み取りモードを選択する制御手段と、を有し、電源投入時に、上記ディスクの装着が検出され、かつ、上記記憶した判別結果情報が挿入ディスクに対しても有効であるときは、該有効とされた一部の領域の管理情報を読み取り、記録または再生動作を開始するようにした構成とする。（７）第１の電源で作動し上記ディスクの装着の有無を検出する検出手段と、該第１の電源で作動し上記記録または再生にあたってのディスクの管理情報の有効性を判別する判別手段と、第２の電源で作動し該判別の結果を記憶する記憶手段と、上記第１の電源で作動し上記記憶した判別結果情報に基づき上記管理情報の読み取りモードを選択する制御手段と、を備え、上記第１の電源が投入されたとき、上記ディスクの装着が検出され、かつ、上記記憶した判別結果情報が挿入ディスクに対し有効であるとされたときは、ディスクの第１の領域と第２の領域のいずれか一方から有効な管理情報を読み取り、有効ではないとされたときは、該第１の領域と該第２の領域の両方から管理情報を読み取るように制御する構成とする。（８）ディスクの装着の有無を検出する検出手段と、上記ディスクの挿抜を検出する挿抜検出手段と、該挿抜検出の結果を、電源切断状態のときにも記憶可能な記憶手段と、該記憶した挿抜検出結果情報に基づき上記管理情報の読み取りモードを選択する制御手段と、を備え、電源投入時に、上記ディスクの装着が検出され、かつ、上記ディスクの挿抜が検出されないときは、該ディスクの複数の記録領域の一部から有効な管理情報を読み取るようにした構成とする。（９）上記（１）から（８）のいずれかにおいて、管理情報が記録された上記複数の領域は、上記ディスクの内周部と外周部とに分けて設けられた領域から成る構成とする。（１０）上記（１）から（８）のいずれかにおいて、管理情報が記録された上記複数の領域は、４つの領域であり、このうちの１つの領域から管理情報を読み取るように制御される構成とする。（１１）上記（１）から（８）のいずれかにおいて、上記管理情報は、上記ディスク自体の状態を管理するための第１の管理情報と、該ディスクに再生のために記録されたデータ情報を管理するための第２の管理情報とから成り、該第１、第２の管理情報はそれぞれ、上記ディスクの内周部の領域と外周部の領域とに分けて記録され、このうちいずれかの領域から該第１、第２の管理情報を読み取るように制御される構成とする。（１２）ディスクの管理情報を該ディスクの第１、第２の領域に記録する記録手段と、該記録された管理情報の有効性を判別する判別手段と、該判別の結果を、電源切断状態のときにも記憶可能な記憶手段と、該記憶した判別結果情報に基づきディスクからの上記管理情報の読み取りモードを選択する制御手段とを有し、上記記憶した判別結果情報が挿入ディスクに対しても有効であるときは、上記信号の記録または再生動作に先立ち、上記第１、第２の領域のいずれか一方から管理情報を読み取り、上記管理情報が有効ではないと判別されるときには、該第１、第２の領域の両方から管理情報を読み取るようにした構成とする。（１３）上記（１）から（８）のいずれかにおいて、上記記録または再生される信号は、カメラ撮像装置からの情報信号である構成とする。また、受信情報の処理を行う情報処理端末装置として、（１４）情報伝送用のインターフェースと、情報の処理を行う情報処理手段と、同一内容の管理情報が複数の領域に分けて多重記録されたディスクに対し該処理した情報の記録、再生のいずれか一方または両方を行うディスク装置と、表示手段とを備えて成り、うち上記ディスク装置が、上記信号の記録または再生にあたっての上記管理情報の有効性を判別する判別手段と、該判別の結果を電源切断状態のときにも記憶可能な記憶手段と、該記憶した判別結果情報が挿入ディスクに対しても有効であるときは、上記記録または再生動作に先立ち、ディスクの複数の記録領域の一部から管理情報を読み取るように制御する制御手段と、を有して成る構成とする。（１５）情報伝送用のインターフェースと、情報の処理を行う情報処理手段と、同一内容の管理情報が複数の領域に分けて多重記録されたディスクに対し該処理した情報の記録、再生のいずれか一方または両方を行うディスク装置と、表示手段とを備えて成り、うち上記ディスク装置が、上記ディスクの挿抜を検出する挿抜検出手段と、該挿抜検出の結果を、電源がオフ状態のときにも記憶可能な記憶手段と、該挿抜検出の結果、上記ディスクの挿抜が検出されないときは、ディスクの複数の記録領域の一部から有効な管理情報を読み取るように制御する制御手段とを有して成る構成とする。また、ディスク装置においてディスクの管理情報を読み取るときの読み取り制御方法として、（１６）信号の記録または再生動作に先立ち、上記管理情報を読み取るステップと、該読み取った管理情報の有効性を判別するステップと、該判別の結果を、電源切断状態でも記憶可能な記憶手段に記憶するステップと、該記憶した判別結果情報が挿入ディスクに対しても有効か否かを判別するステップと、該判別の結果、該記憶した判別結果情報が挿入ディスクに対しても有効であるとされるときは、該ディスクの複数の記録領域の一部から管理情報を読み取るようにするステップとを経て、上記管理情報の読み取り制御を行うようにする。（１７）ディスクの挿抜を検出するステップと、該検出結果を、電源切断状態でも記憶可能な記憶手段に記憶するステップと、該記憶した挿抜検出結果情報が、上記ディスクの挿抜が検出されない内容のときは、該ディスクの複数の記録領域の一部から有効な管理情報を読み取るようにするステップとを経て、上記管理情報の読み取り制御を行うようにする。  上記���御手段は、記憶されたディスクの挿抜検出結果またはディスクの管理情報の判別結果に基づき、装置電源が投入されたとき、管理情報の読み取りモードを短時間モードに選択し、起動時間を短縮させる。
【発明の効果】
【０００９】
本発明によれば、ディスク装置において、管理情報の読み取り時間を短縮して起動時間を短縮化でき、迅速な記録または再生動作開始が可能となる。
【図面の簡単な説明】
【００１０】
【図１】本発明の第１の実施例を示す図である。
【図２】図１の装置用ディスクにおける管理情報のデータ構造説明図である。
【図３】図１の装置における記録再生開始までの手順例を示す図である。
【図４】図１の装置における管理情報の読み取り制御の手順例を示す図である。
【図５】図１の装置における管理情報の読み取り制御の他の手順例を示す図である。
【図６】図１の装置における管理情報の読み取り制御の他の手順例を示す図である。
【図７】図４〜図６の手順を統一したフロー図である。
【図８】第１の管理情報読み取りモードと第２の管理情報読み取りモードの例を示す図である。
【図９】本発明の第２の実施例を示す図である。
【発明を実施するための形態】
【００１１】
以下、本発明の実施例につき、図面を用いて説明する。  図１〜図７は本発明の第１の実施例の説明図である。図１は、本発明の第１の実施例としてのカメラ一体型記録再生装置の構成例図、図２は、図１の装置の記録媒体としてのディスクにおける管理情報のデータ構造説明図、図３は、図１の装置における記録再生開始までの準備動作の手順例を示すフロー図、図４は、図１の装置における管理情報の読み取り制御の手順例を示すフロー図、図５は、図１の装置における管理情報の読み取り制御の他の手順例を示すフロー図、図６は、図１の装置における管理情報の読み取り制御のさらに他の手順例を示すフロー図、図７は、図４〜図６の手順を統一したフロー図である。
【００１２】
図１において、１はマイク、２はオーディオ入力処理回路、３はレンズユニット、４は撮像センサとしてのＣＣＤ、５はカメラ映像信号処理回路、６はレンズユニット３を駆動するドライバ、７は、映像信号や音声信号を圧縮・伸張処理する圧縮／伸張処理回路、８はオーディオ出力回路、９は音声出力端子、１０は表示手段としてのＬＣＤ（液晶ディスプレイ）、１１は映像出力端子、１２は映像表示／出力処理回路、１３はＤ−ＲＡＭ、１４はカメラ側の制御マイコン、１５はフラッシュメモリ（Ｆ−ＲＯＭ）、１６は内蔵バッテリー、１７はディスクの交換を検出または監視する挿抜監視手段、１８は不揮発メモリとしてのＥＥＰ―ＲＯＭ、１９はインターフェース（Ｉ／Ｆ）回路、２０は装置の電源スイッチ、２１は充電回路、２２は外部電源入力端子、２３はバッテリー、２４は電源回路としてのＤＣ−ＤＣコンバータ、２５は記録媒体としてのディスク、２６はディスク２５を回転駆動するスピンドルモータ、２７はディスク２５に対し情報信号の記録または再生を行うピックアップ、２８は再生回路、２９は記録信号または再生信号の処理を行う信号／制御処理回路、３０はＤ−ＲＡＭ、３１は、ピックアップ２７をディスク２５の略半径方向に移動させる送りモータ、３２は記録回路、３３はＳ−ＲＡＭ、３４はフラッシュメモリとしてのＦ−ＲＯＭ、３５は不揮発メモリとしてのＥＥＰ―ＲＯＭ、３６は、スピンドルモータ２６の駆動と、送りモータ３１の駆動と、ピックアップ２７内において対物レンズのフォーカス制御及びトラッキング制御を行うためのアクチュエータ（図示せず）の駆動とを行うアクチュエータドライバ、３７は記録再生部の制御マイコン、３８はカメラ部、３９は出力部、４０は制御部、４１は記録再生部である。上記構成において、各メモリはそれぞれの特性に合わせて用いられる。すなわち、Ｄ−ＲＡＭ１３、３０は、圧縮／伸張処理回路７の処理データや、制御マイコン１４の処理データなどのデータを一時的に記憶する。Ｓ−ＲＡＭ３３は、制御マイコンの作業用データの一時保管などを行う。フラッシュメモリ１５は、制御マイコン１４を動作するプログラム等を記憶する。ＥＥＰ−ＲＯＭ３５は機構系等の状態情報を保管する。フラッシュメモリ及びＥＥＰ−ＲＯＭはともに、不揮発性の電気的に記録、消去が可能なメモリであり、フラッシュメモリは大容量情報の記憶、ＥＥＰ−ＲＯＭは小容量情報の記憶に用いる。
【００１３】
カメラ部３８においては、画像情報はドライバ６によって駆動されるレンズユニット３を介して、撮像センサとしてのＣＣＤ４にて電気信号に変換され、カメラ映像信号処理回路５にて映像信号に変換される。一方、音声はマイク１を介して、オーディオ入力処理回路２にて音声信号に変換される。出力部３９においては、上記映像信号及び音声信号は、圧縮／伸張処理回路７にて、デジタル映像／音声圧縮信号に変換される。圧縮方式としては動画を扱うＭＰＥＧ方式や静止画を扱うＪＰＥＧ方式などを用いる。上記圧縮／伸張処理回路７からの音声信号は、オーディオ出力回路８を介して音声出力端子９に出力される。また、映像信号は、映像表示／出力処理回路１２を介し、表示手段としてのＬＣＤ１０にて表示されるとともに、映像出力端子１１から出力される。
【００１４】
制御部４０は、電源スイッチ２０がオン状態とされて、各手段に電源から所要の電圧、電流が供給されることにより作動する。制御マイコン１４は、ドライバ６を介してレンズユニット３を制御し、被写体を撮像センサとしてのＣＣＤ４上に画像としてとらえる。また、該制御マイコン１４は、圧縮／伸張処理回路７にて、動画や静止画をデジタル信号に圧縮してＤ−ＲＡＭ１３に一時記憶するように制御する。これらの信号は、インターフェース回路１９を介して、記録再生部４１の信号／制御処理回路２９へ送られる。また、充電回路２１を監視して電源状態を把握したり、スイッチ回路２０を制御したりしてカメラ部３８の電源処理を行う。内蔵バッテリー１６は、日付などのバックアップ情報の保持や挿抜監視手段１７の監視用電源などとして使用される。挿抜監視手段１７はディスク２５の交換を検出または監視する手段であり、具体的構成としては、例えば、挿入部などにディスクの有無を検出するスイッチを設ける構成がある。該検出スイッチとしては、バッテリーなどから電力を供給された状態において、電気信号を検出信号として出力するものであってもよいし、記憶機能を有する機械的要素の状態を、装置電源が供給された時に電気的センサで検知し、情報を制御手段に伝える構成のものであってもよい。後者の場合は、バッテリーによる電力の供給は不要となる。
【００１５】
記録再生部４１は、インターフェース回路１９から入力された動画または静止画情報を、信号／制御処理回路２９とＤ−ＲＡＭ３０にてディスク２５に応じた記録フォーマットに変換して、記録回路３２、ピックアップ２７を介してディスク２５に記録する。また、該ディスク２５とピックアップ２７の相対位置は、ピックアップ２７を時分割で再生動作して、ディスク２５上から予め書き込まれた位置情報を再生回路２８を介して検出し、信号／制御処理回路２９及び制御マイコン３７によって処理し、アクチュエータドライバ３６を介して、スピンドルモータ２６と送りモータ３１及びピックアップ２７内に設けられたアクチュエータ（図示なし）を駆動する。Ｓ−ＲＡＭ３３及びフラッシュメモリ３４は、制御マイコン３７の演算データの一時的記憶やプログラム等の記憶を行う。また、不揮発メモリ３５は、演算データなどを記憶する。
【００１６】
上記動作は、情報信号記録時の場合であるが、再生時の場合は、ほぼこれらと反対の動作が行われる。すなわち、ディスク２５からピックアップ２７及び再生回路２８を介して情報を検出し、信号／制御処理回路２９及び制御マイコン３７によりディスク２５に応じた記録フォーマットを復調し、インターフェース回路１９を介して圧縮／伸張処理回路７へ戻し、ここで、圧縮された映像信号及び音声信号を伸張して、映像表示／出力処理回路１２やオーディオ出力回路８を介して、表示手段１０、音声出力端子９及び映像出力端子１１に出力する。さらに、本実施例の装置では、電源部として、外部電源入力端子２２を有し、外部からの電源供給を受けられるようになっている。また、該外部電源入力端子２２を介して、外部電源により充電回路２１を駆動してバッテリー２３の充電ができるようになっている。外部電源が供給されているときは、外部電力を電源回路２４で所要の電圧に変換して各ブロックに供給し、外部電源が接続されていないときには、バッテリー２３からの電力を電源回路２４を介して各ブロックへ供給する。また、ディスク２５としては、例えば、再生専用ディスクとしてＤＶＤ・ＲＯＭ、１回のみの追記型ディスクとしてＤＶＤ・Ｒ、書き換え可能なディスクとしてＤＶＤ・ＲＷ及びＤＶＤ−ＲＡＭなどがある。
【００１７】
図２は、図１の装置の記録媒体としてのディスクにおける管理情報のデータ構造例を示す。本例では、管理情報としての欠陥管理情報とファイル管理情報はそれぞれ、ディスクの内周側領域と外周側領域とに分けて記録されている。各領域には同一内容の欠陥管理情報と、同一内容のファイル管理情報が記録されている。例えば、ＤＶＤ−ＲＡＭディスクの場合、内周側領域中には、２個の欠陥管理情報記録領域と１個のファイル管理情報記録領域とが設けられ、外周側領域中にも、２個の欠陥管理情報記録領域と１個のファイル管理情報記録領域とが設けられている。計４個の欠陥管理情報記録領域に記録された欠陥管理情報は互いに同じ内容であり、計２個のファイル管理情報記録領域に記録されたファイル管理情報も互いに同じ内容となっている。このように、複数箇所（複数領域）に同一内容の管理情報を置くことにより、データ再生の信頼性を上げ、指紋やゴミなどによる記録や再生に対する影響を受けにくいようにしている。かかる構成のディスクにより記録または再生を行う場合には、記録または再生動作に先立って、当該ディスクに関する前記４箇所（４個の記録領域）の欠陥管理情報（第１の管理情報）を読みに行く必要がある。欠陥管理情報の読み込みはディスク装置がディスクを使用する準備として行う。以下、ディスク装置の準備が完了した状態をＲＥＡＤＹ状態という。図３、図４、図５及び図７に示す「ＲＥＡＤＹ」はこの状態を意味する。通常のシステムでは、ＲＥＡＤＹになった後、上位システムからの指令によりファイルシステムの読み込みを行う時にディスク内の２箇所（２個の記録領域）のファイル管理情報（第２の管理情報）を読み込みに行く。
【００１８】
図３は、図１の装置における記録再生開始までの準備動作の手順例を示す。  図３において、（１）ステップＳＴ５０にて上記操作スイッチ２０により装置の電源を投入し、（２）ステップＳＴ５１にてディスクが装置に挿入されているか否かを判定し、（３）ディスクが挿入されていたとき、ステップＳＴ５２にて上記スピンドルモータ２６を回転させる。（４）スピンドルモータの回転速度が所定の値に達した後、ステップＳＴ５３にて上記ピックアップ２７,アクチュエータドライバ３６などの各種オフセットを調整する。（５）その後、ステップＳＴ５４にて上記ピックアップ２７上のレーザーを発光させる。（６）ステップＳＴ５５にて、フォーカス方向の制御への引き込みを行い、ディスク記録面に前記レーザー光を絞り込んで微小スポットを形成する。（７）次いで、ステップＳＴ５６にて、前記光スポットをディスクの半径方向に制御してディスク上のトラックに位置決めするトラッキング制御への引き込みを行う。（８）ステップＳＴ５７にて前記フォーカス及びトラッキング制御のゲイン調整を行った後、（９）ステップＳＴ５８にて内周の第１の管理情報（ＤＭＡ）を２個所読み込む。（１０）ステップＳＴ５９にて、内周で記録テストを行い、（１１）ステップＳＴ６０にて外周にシークし、（１２）ステップＳＴ６１にて外周での記録テストを行う。そして、（１３）ステップＳＴ６２にて外周の２箇所の第１の管理情報を読み込む。  上記（１）〜（１３）の準備シーケンスは、内周側領域及び外周側領域における全部の欠陥管理情報（第１の管理情報）を再生する方式のため、高信頼性の再生結果を得られるが、再生開始までの起動時間が長くなる。このため、高信頼性の結果が既に得られている場合には、第１の管理情報の読み込み過程の重複する部分を省き、時間短縮を図ることが改善対策として考えられる。
【００１９】
図４は、図１の装置における管理情報の読み取り制御の手順例を示すフロー図である。  図４において、（１）ステップＳＴ７０にて上記操作スイッチ２０によりディスク装置の電源を第１回目の投入し、（２）ステップＳＴ７１にてディスク装置内のディスクの有無を判定し、該判定の結果、ディスクが有ると判定された場合には、（３）上記図３におけるステップＳＴ５２からステップＳＴ６２の処理を行う（ステップＳＴ７２〜ステップＳＴ７４）。なお、以下、全ての第１の管理情報を読み込むための管理情報読み取り動作を第１の管理情報読み取りモードという。（４）その後、ステップＳＴ７５にて電源切断要求があったとき、（５）ステップＳＴ７６にて、第１の管理情報の有効性を判断し、かつ、その結果の情報を、例えば、内蔵バッテリー１６にて電源を供給されている制御マイコン１４内のメモリや不揮発メモリ３５に格納し、（６）ステップＳＴ７７にて、電源を切断する。ここで、第１の管理情報の有効性はたとえば上記第１の管理情報読み取りモードで読み取った多重記録された全ての領域の情報が一致している場合に有効と判断し、いずれかの情報が一致しない場合は無効と判断する。（７）ステップＳＴ７８にて、再び上記操作スイッチ２０により、ディスク装置の電源投入までの間、上記内蔵バッテリー１６によって電源を供給されている上記制御マイコン１４により、上記挿抜監視手段１７で上記ディスク２５の挿抜を検出する。挿抜監視手段１７がディスク２５の挿抜を検出すると、不揮発メモリＥＥＰ−ＲＯＭ３５に挿抜有りの情報を記憶する。（８）その後、ステップＳＴ７８にて、再び上記操作スイッチ２０により、ディスク装置の電源投入し、（９）制御マイコン１４は、不揮発メモリ３５の該当情報をステップＳＴ７９にてチェックし、上記ステップＳＴ７７における電源切断後から上記ステップＳＴ７８における２回目の電源投入までの間のディスクの挿抜を検出または監視し、（１０）ディスクの挿抜がなく、ステップＳＴ８０にて、制御マイコン１４内のメモリや不揮発メモリ３５に格納した第１の管理情報が有効とされる場合、ディスク装置に挿入されたディスクの状態は、以前の状態と変わっていないと判断されるめ、（１１）ステップＳＴ８１にて、内周側または外周側の２個の記録領域の第１の管理情報だけを読み込んだ後、装置をＲＥＡＤＹ状態にする。第１の管理情報読み取りモードよりも少ない個数の第１の管理情報を読み取る管理情報読み取りモードを、以下、第２の管理情報読み取りモードという。（１２）上記ステップＳＴ７９においてディスクの挿抜があるとされ、ステップＳＴ８２にて、ディスクの挿入ありとされる場合、または、上記ステップＳＴ８０において、第１の管理情報が無効だった場合には、（１３）ステップＳＴ８３にてディスク内周側の２個の記録領域の第１の管理情報を読み込み、（１４）ステップＳＴ８４にて、外周側にシークし、（１５）ステップＳＴ８５にて、外周側の２個の記録領域の第１の管理情報を読み込む。この場合の管理情報読み取り動作は、第１の管理情報読み取りモードである。上記手順においては、上記ステップＳＴ７９の判定を有効にするために、ディスクを装置から抜き出す動作の最後の段階で、管理���報を無効にしておく。また、上記では、第２の管理情報読み取りモードの場合、ディスク内周側の２個の記録領域の第１の管理情報を読み取るとしたが、１個の記録領域の第１の管理情報を読み取るようにしてもよい。該１個の場合は２個の場合よりもさらに処理時間を短縮できる。また、図４では、ディスクの挿抜（ステップＳＴ７９）と第１の管理情報（ステップＳＴ８０）とによって有効性を判断しているが、このうちの一方で判断する方法もある。すなわち、操作スイッチ２０が切断された状態では、工具なしではディスク挿抜機構を操作できないため、通常、ディスクの挿抜は行われないとして第１の管理情報だけに基づき有効性を判断し、有効な場合は上記第２の管理情報読み取りモードにて処理する方法や、ディスクの挿抜により有効性を判断し、有効な場合は上記第２の管理情報読み取りモードにて処理する方法もある。
【００２０】
図５は、図１の装置における管理情報の読み取り制御の他の手順例を示すフロー図であって、第１の管理情報と第２の管理情報の両方を有効性の判別に用いる場合の例である。  図５において、（１）ステップＳＴ１００にて、操作スイッチ２０によりディスク装置の電源を投入し、（２）ステップＳＴ１０１にて、ディスクが装置に挿入されているか否かを判定し、（３）ディスクが挿入されていた場合、ステップＳＴ１０２にて、ディスク内周側の第１の管理情報を読み込み、（４）その後、ステップＳＴ１０３にて、外周にシークし、（５）ステップＳＴ１０４にて、外周側の第１の管理情報（ＤＭＡ）を読み込む。（６）ステップＳＴ１０５にて、内周側にシークし、（７）ステップＳＴ１０６にて、内周側の第２の管理情報を読み込み、（８）その後、ステップＳＴ１０７にて、外周側にシークして、（９）ステップＳＴ１０８にて、外周側の第２の管理情報を読み込む。なお、この管理情報読み取り動作はすべての管理情報を読み込む第１の管理情報読み取りモードである。（１０）その後、ステップＳＴ１０９にて、電源切断要求があったとき、（１１）ステップＳＴ１１０にて、管理情報の有効性を判断し、その情報を、例えば、内蔵バッテリー１６にて電源を供給されている制御マイコン１４内のメモリあるいは不揮発メモリ３５に格納する。管理情報の有効性は、例えば、上記第１の管理情報読み取りモードで読み取った多重記録された全ての領域（第１の管理情報では４個の記録領域、第２の管理情報では２個の記録領域）の情報が一致している場合に有効と判断し、いずれかの情報が一致しない場合は無効と判断する。（１２）その後、ステップＳＴ１１１にて、電源を切断し、再び操作スイッチ２１によりディスク装置の電源投入されるまでの間、内蔵バッテリー１６によって電源を供給されている制御マイコン１４により、挿抜監視手段１７でディスク２５の挿抜の有無を検出する。（１３）その後、ステップＳＴ１１２にて、再び操作スイッチ２０によりディスク装置の電源が投入される（２回目の電源投入）。（１４）その後、ステップＳＴ１１３にて挿抜の有無をチェックし、（１５）上記ステップＳＴ１１１の電源切断後から上記ステップ１１２の電源投入までの間にディスクの挿抜がなく、ステップＳＴ１１４にて、制御マイコン１４内のメモリあるいは不揮発メモリ３５に格納された第１の管理情報が有効とされる場合は、ディスク装置に挿入されたディスクの状態は、以前と変わっていないと判断できるため、ステップＳＴ１１５にて、ディスク内周側の２個の記録領域の第１の管理情報を読み込む。（１６）ステップＳＴ１１６の第２の管理情報の判別にて、ステップＳＴ１１０で不揮発メモリ３６に格納した第２の管理情報が有効であるとされた場合、（１７）ステップＳＴ１１７にて、内周側の第２の管理情報だけを読み込み、装置をＲＥＡＤＹ状態にする。上記図５においても、ディスクの挿抜と管理情報とにより有効性を判断している（ステップＳＴ１１３、ステップＳＴ１１４、ステップＳＴ１１６）が、一方が固定される前提で他方のみで有効性を判断するようにしてもよい。すなわち、ディスクの挿抜は行われないとして管理情報のみで有効性を判断し、上記第２の管理���報読み取りモードで処理して短時間起動を行うようにしてもよいし、または、管理情報は有効であるとしてディスクの挿抜のみで該第２の管理情報読み取りモードで処理して短時間起動を行うようにしてもよい。（１８）ステップＳＴ１１３のチェックにおいてディスクの挿抜があり、ステップＳＴ１１８のチェックにてディスクが挿入されていると判定された場合、また、ステップＳＴ１１４、ステップＳＴ１１６における第１、第２の管理情報の有効性チェックにおいて、第１、第２の管理情報のうちいずれかが無効であった場合には、（１９）ステップＳＴ１１９にてディスク内周側の２個の記録領域の第１の管理情報を読み込み、（２０）その後、ステップＳＴ１２０にて、ディスク外周側にシークし、（２１）ステップＳＴ１２１にて、ディスク外周側の２個の記録領域の第１の管理情報を読み込む。（２２）ステップＳＴ１２２にて、ディスク内周側にシークし、（２３）ステップＳＴ１２３にて、ディスク内周側の第２の管理情報を読み込んだ後、（２４）ステップＳＴ１２４にて、ディスク外周側にシークし、（２５）ステップＳＴ１２５にて、ディスク外周側の第２の管理情報を読み込む。この管理情報読み取り動作は上記第１の管理情報読み取りモードである。
【００２１】
図６は、図１の装置における管理情報の読み取り制御のさらに他の手順例を示すフロー図、管理情報の更新要求がある場合の例である。  図６において、（１）ステップＳＴ１３０にて、電源スイッチ２０を投入し、（２）ステップＳＴ１３１にて、ディスクが装置に挿入されているか否かを判別してディスクがあった場合、（３）ステップＳＴ１３２にて、ディスク内周側の管理情報を読み込む。（４）ステップＳＴ１３３にて、ディスク外周側にシークし、（５）ステップＳＴ１３４にて、ディスク外周側の管理情報を読み込む。（６）その後、ステップＳＴ１３５で電源切断要求があり、（７）ＳＴステップ１３６にて、第１の管理情報または第２の管理情報について管理情報更新要求があったときには、（８）ステップＳＴ１３７にて、ディスク上に多重記録され、更新が要求された全ての管理情報を更新する。（９）ステップＳＴ１３８にて、ステップＳＴ１３７で更新した管理情報が正しく更新できているか否かの判別を行う。該更新の判別は、更新したディスク上の全管理情報を読み取った上で判別する。読み取った全管理情報が正しければ、更新した管理情報は有効であり、１箇所の管理情報でも正しくなければ無効とする。（１０）ステップＳＴ１３９にて、管理情報更新の有効性の有無を不揮発メモリ３５などに格納した後、（１１）ステップＳＴ１４０にて、装置の電源を切断する。なお、更新の要求は電源の切断要求とは独立に行われる。  なお、上記図４のステップＳＴ７０、図５のステップＳＴ１００、及び図６のステップＳＴ１３０それぞれにおける「電源ＯＮ」は、ディスクの挿入があったことを前提としている。
【００２２】
図７は、図４〜図６の手順を統一したフロー図で、１回目の電源ＯＮと２回目の電源ＯＮの区別に重点をおいた管理情報読み取り制御の手順例を示す。  図７において、（１）ステップＳＴ２００にて、電源が投入され、（２）ステップＳＴ２０１にて、ディスクの有無を判別し、（３）ステップＳＴ２０２でディスクの挿抜をチェックし、（４）ステップＳＴ２０３にて、管理情報の有効性をチェックし、（５）管理情報が有効である場合は、ステップＳＴ２０４にて、第１の管理情報読み取りモードを選択し、（６）管理情報が有効でない場合は、ステップＳＴ２１２にて、第２の管理情報読み取りモードを選択する。（７）ステップＳＴ２０５にて、ＲＥＡＤＹになった後、（８）ステップＳＴ２０６にて、管理情報更新要求があるか否かを判別し、（９）該要求がある場合には、ステップＳＴ２０７にて管理情報を更新する（図６のステップＳＴ１３６〜ステップＳＴ１３８に相当）。（１０）ステップステップＳＴ２０８にて、電源切断要求があったときは、ステップステップＳＴ２０９にて管理情報の有効性をメモリに格納し、（１１）ステップステップＳＴ２１０にて電源を切断する。上記により、１回目と２回目の電源ＯＮ時の管理情報読み取りモードを適切に選択することができる。第１の管理情報読み取りモード及び第２の管理情報読み取りモードにおけるシーク動作等は、上記図４〜図６の場合と同様である。
【００２３】
図８は、第１の管理情報読み取りモードと第２の管理情報読み取りモードの例を示す。例えば、ＤＶＤ−ＲＡＭディスクでは、第１の管理情報が欠陥管理情報（ＤＭＡ）であり、第２の管理情報がファイル管理情報（ＵＤＦ）である。  図８において、（Ａ）は、第１の管理情報と第２の管理情報を順番に全て読み取る第１の管理情報読み取りモードである。（Ｂ）は内周側、（Ｃ）は外周側の第１、第２の管理情報だけを読み取る第２の管理情報読み取りモードである。なお、図中の数字は読み取りの順番である。内周側または、外周側のみを読み取る第２の管理情報読み取りモードでは、ディスクの内外周をシークする回数を第１の管理情報読み取りモードより少なくできる。
【００２４】
上記第１の実施例によれば、管理情報の有効性判別とディスクの挿抜検出とにより、管理情報の読み取りモードを選択できる。また、装置電源が切断された場合にも、ディスクの挿抜がされないときは管理情報の有効性が保持されるため、再び電源が投入された時は、一部の管理情報だけを読み取る上記第２の読み取りモードを選択することで、ディスク装置の起動時間を短縮でき、迅速な記録または再生動作開始が可能となる。
【００２５】
図９は、本発明の第２の実施例としての携帯型情報処理装置の構成例を示す。  図９において、１５１はＣＰＵ、１５２は表示部、１５３は操作部、１５４は音声処理用ＤＳＰ（Ｄｉｇｉｔａｌ  Ｓｉｇｎａｌ  Ｐｒｏｃｅｓｓｏｒ）、１５５はスピーカ、１５６は情報伝送路インターフェース、１５７はＲＯＭ、１５８はＲＡＭ、１５９はフラッシュメモリとしてのＦ−ＲＯＭ、１６０は入出力部である。その他、図１と同じまたは同等機能部分には同一符号を付す。本第２の実施例は、記録再生部４１を有した携帯型情報処理装置である。携帯型情報処理装置の記録再生部４１に挿抜可能なディスク２５を用い、入出力部１６０はリアルタイム記録が可能な構成とする。入出力部１６０は、マイク１とオーディオ入力処理回路２により音声信号を取り込み、レンズユニット３、撮像センサとしてのＣＣＤ４、及びカメラ映像信号処理回路５により映像信号を取り込む。また、情報伝送路インターフェース１５６により、外部の機器やネットワークとの間で映像、音声、データなどを含むマルチメディア情報を入出力する。入出力部１６０より取り込まれた情報はＣＰＵ１５１にて処理され、バッファメモリとしてのＲＡＭ１５８に一時的に記憶される。これらの情報は、所定量に達したらインターフェース回路１９を介して記録再生部４１に記録される。また、操作部１５３による操作により、本装置の動作が制御される。表示部１５２には装置の状態が表示される。その他各部の構成、作用及び動作は、基本的に図１に示す第１の実施例の場合と同様である。特に、記録または再生動作に先立つ管理情報の読み取り動作についても、本第２の実施例が記録媒体用のディスクとして、上記第１の実施例のようなディスクを用いる構成である場合には、上記図２〜図８に示すような手順で管理情報の読み取り制御が行われ、記録または再生動作のための準備が行われる。
【００２６】
上記第２の実施例によれば、上記第１の実施例の場合と同様、管理情報の有効性判別とディスクの挿抜検出とにより、管理情報の読み取りモードを選択できる。第２の読み取りモードを選択した場合にはディスク装置の起動時間を短縮できる。さらに、携帯情報処理装置としての高い利便性も得られる。
【符号の説明】
【００２７】
１…マイク、  ２…オーディオ入力処理回路、  ３…レンズユニット、  ４…ＣＣＤ、
５…カメラ映像信号処理回路、  ６…ドライバ、  ７…圧縮／伸張処理回路、  ８…オーディオ出力回路、  ９…音声出力端子、  １０…ＬＣＤ、  １１…映像出力端子、  １２…映像表示／出力処理回路、  １３…Ｄ−ＲＡＭ、
１４、３７…制御マイコン、  １５、３４、１５９…Ｆ−ＲＯＭ、  １６…内蔵バッテリー、  １７…挿抜監視手段、  １８…ＥＥＰ―ＲＯＭ、  １９…インターフェース回路、  ２０…電源スイッチ、  ２１…充電回路、  ２２…外部電源入力端子、  ２３…バッテリー、  ２４…ＤＣ−ＤＣコンバータ、  ２５…ディスク、  ２６…スピンドルモータ、  ２７…ピックアップ、  ２８…再生回路、  ２９…信号／制御処理回路、  ３０…Ｄ−ＲＡＭ、  ３１…送りモータ、  ３２…記録回路、  ３３…Ｓ−ＲＡＭ、  ３５…ＥＥＰ―ＲＯＭ、  ３６…アクチュエータドライバ、  ３８…カメラ部、  ３９…出力部、  ４０…制御部、  ４１…記録再生部、  １５１…ＣＰＵ、  １５２…表示部、  １５３…操作部、１５４…音声処理用ＤＳＰ、  １５５…スピーカ、  １５６…情報伝送路インターフェース、  １５７…ＲＯＭ、  １５８…ＲＡＭ、  １６０…入出力部。
【図１】
2010044857.tif 000003
【図２】
2010044857.tif 000004
【図３】
2010044857.tif 000005
【図４】
2010044857.tif 000006
【図５】
2010044857.tif 000007
【図６】
2010044857.tif 000008
【図７】
2010044857.tif 000009
【図８】
2010044857.tif 000010
【図９】
2010044857.tif 000011
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
挿入されたディスクから情報の読み取りを行なうディスク装置であって、
少なくとも電源オフ状態で作動し、ファイル管理情報が多重記録されたディスクの挿入および抜き取りを監視する挿抜監視手段と、
前記ディスクの内周側および外周側に多重記録された前記ファイル管理情報を読み取る読取手段と、
前記ディスクの内周側及び外周側に多重記録された前記ファイル管理情報が一致するか否かを示す有効性判断情報を記憶する記憶手段と、を備え、
前記読取手段は、電源オン状態にて、ディスクが挿入されたとき、前記ディスクの内周側及び外周側に多重記録された前記ファイル管理情報を順次読み取り、その後電源オン状態で電源がオフされたときから、再び電源オン状態になるときまでに、前記ディスクの抜き取りが行われなかったことが前記挿抜監視手段により検出され、かつ前記記憶手段に記憶された前記有効性判断情報が有効である場合、前記ディスクの内周側及び外周側のうち一方の前記ファイル管理情報を読み取ることを特徴とするディスク装置。
【請求項２】
請求項１に記載のディスク装置であって、さらに、
マイクと、レンズと、撮像素子と、バッテリとを含むことを特徴とするディスク装置。
【請求項３】
請求項１または２に記載のディスク装置であって、
前記ディスクは、ＤＶＤ−ＲＡＭであることを特徴とするディスク装置。
【請求項４】
前記読取手段は、ディスクに対しディスクの略半径方向に移動することを特徴とするディスク装置。
【請求項５】
ディスクから情報の読み取りを行なうディスク読取方法であって、
ディスク装置を第一回目の電源オン状態にする第１のステップと、
前記第一回目の電源オン状態にて、ディスクが挿入されたとき、前記ディスクの内周側および外周側に多重記録されたファイル管理情報を順次読み取る第２のステップと、
前記ディスクの内周側及び外周側に多重記録された前記ファイル管理情報が一致するか否かを示す有効性判断情報を記憶する第３のステップと、
前記第一回目の電源オン状態で電源をオフする第４のステップと、
前記ディスク装置を第二回目の電源オン状態にする第５のステップと、
前記第一回目の電源オン状態で電源がオフされたときから、前記第二回目の電源オン状態になるときまでに、前記ディスクの抜き取りが行われたか否かを検出する第６のステップと、
前記有効性判断情報が有効であるか否かを判断する第７のステップと、
前記第６のステップ及び前記第７のステップにおいて、前記ディスクの抜き取りが行われなかったことが検出され、かつ前記有効性判断情報が有効である場合、前記ディスクの内周側及び外周側のうち一方の前記ファイル管理情報を読み取る第８のステップと、
を有することを特徴とするディスク読取方法。
【請求項６】
請求項５記載のディスク読取方法であって、
前記ディスクは、ＤＶＤ−ＲＡＭであることを特徴とするディスク読取方法。